(57)【要約】【課題】簡素な構造でかつ小型化が可能な電子ユニット取付構造を提供する。【解決手段】電子ユニット取付構造１は、電気接続箱２のケース４上面に電子ユニット３を取り付ける構造である。電子ユニット３のケース５は、ケース本体５０と、ケース本体５０の一側面５０ｃから突出した直方体状の突出部５１と、突出部５１の側面から延設されたバネ片５３と、他側面５０ｄに設けられたロック部５２を有している。ケース４は、挿入部６１が形成された垂直壁６と、ロック受け部４２を有している。突出部５１及びバネ片５３が挿入部６１に挿入されて突出部５１を中心に電子ユニット３が回動されることにより、突出部５１の上面が挿入部６１の内面に当接し、バネ片５３が挿入部６１の内面に弾性接触し、ロック部５２がロック受け部４２に係止してケース４上面に電子ユニット３が取り付けられる。【選択図】図５
2014096960.tif 000002
【特許請求の範囲】
【請求項１】
電気接続箱のケース上面に電子ユニットを取り付ける電子ユニット取付構造において、
前記電子ユニットのケースが、部品を収容したケース本体と、前記ケース本体の一側面から突出した直方体状の突出部と、前記突出部の対向する一対の側面のうち少なくとも一方から延設されたバネ片と、前記一側面と対向する他側面に設けられたロック部と、を有し、
前記電気接続箱のケースが、前記上面と直交する方向に延びると共に前記上面よりも上方に延長された垂直壁と、前記垂直壁と対向する位置に配されたロック受け部と、を有し、
前記垂直壁には、前記ロック受け部側に開口し、前記突出部及び前記バネ片が挿入される挿入部が形成され、
前記突出部及び前記バネ片が前記挿入部に挿入されて、前記突出部を中心に前記電子ユニットが回動されることにより、前記突出部の上面が前記挿入部の内面に当接し、前記バネ片が前記挿入部の内面に弾性接触し、かつ、前記ロック部が前記ロック受け部に係止して、前記電気接続箱のケース上面に前記電子ユニットが取り付けられる
ことを特徴とする電子ユニット取付構造。
【請求項２】
前記電気接続箱及び前記電子ユニットが、前記突出部を中心に前記電子ユニットが回動されることにより互いに嵌合するコネクタを有している
ことを特徴とする請求項１に記載の電子ユニット取付構造。
【請求項３】
前記電気接続箱のケース上面に、前記電子ユニットのガタつきを抑制する複数の凸部が設けられている
ことを特徴とする請求項１又は請求項２に記載の電子ユニット取付構造。
【発明の詳細な説明】
【技術分野】
【０００１】
本発明は、電気接続箱のケース上面に電子ユニットを取り付ける電子ユニット取付構造に関するものである。
【背景技術】
【０００２】
図１１は、従来の電子ユニット取付構造を示す斜視図であり、電子ユニットが電気接続箱のケース上面に取り付けられる途中の状態を示す斜視図である。図１２は、図１１に示された電子ユニット取付構造の軸部及び軸受け部を示す断面図である。
【０００３】
図１１に示すように、電子ユニット取付構造３０１は、電気接続箱３０２のケース３０４上面に電子ユニット３０３を取り付ける構造である。電子ユニット３０３のケース３０５の一側面には一対の軸部３０７が設けられており、ケース３０５の他側面にはロック部３５２が設けられている。電気接続箱３０２のケース３０４には、一対の軸部３０７を回転自在に取り付ける一対の軸受け部３０６と、ロック部３５２が係止するロック受け部３４２と、が設けられている。
【０００４】
この電子ユニット取付構造３０１においては、図１２に示すように軸部３０７が軸受け部３０６に挿入されて該軸部３０７を中心に電子ユニット３０３が回動されることにより、軸部３０７が軸受け部３０６の内面に当接すると共にロック部３５２がロック受け部３４２に係止して電気接続箱３０２のケース３０４上面に電子ユニット３０３が取り付けられる。
【０００５】
また、軸部３０７の表面及び軸受け部３０６の内面には、電気接続箱３０２に電子ユニット３０３が取り付けられるのと同時に互いに直交する格好で食込み合うことにより、電気接続箱３０２と電子ユニット３０３とのガタつきを抑制するリブ３７１，３６１が設けられている（特許文献１を参照。）。
【先行技術文献】
【特許文献】
【０００６】
【特許文献１】特開２００８−１７２８９２号公報
【発明の概要】
【発明が解決しようとする課題】
【０００７】
上述した電子ユニット取付構造３０１においては、軸部３０７及び軸受け部３０６が一対ずつ設けられていることから、軸部３０７及び軸受け部３０６のスペースが二箇所分必要であり、電子ユニット取付構造３０１が大型化してしまうという問題があった。さらに、これら軸部３０７及び軸受け部３０６の双方にガタつきを抑制するリブ３７１，３６１が設けられている構造であることから、軸部３０７及び軸受け部３０６の形状が複雑化し、これらを製造する金型も複雑化して、コスト高になってしまうという問題があった。
【０００８】
したがって、本発明は、簡素な構造でかつ小型化が可能な電子ユニット取付構造を提供することを目的とする。
【課題を解決するための手段】
【０００９】
上記目的を達成するために請求項１に記載された発明は、電気接続箱のケース上面に電子ユニットを取り付ける電子ユニット取付構造において、前記電子ユニットのケースが、部品を収容したケース本体と、前記ケース本体の一側面から突出した直方体状の突出部と、前記突出部の対向する一対の側面のうち少なくとも一方から延設されたバネ片と、前記一側面と対向する他側面に設けられたロック部と、を有し、前記電気接続箱のケースが、前記上面と直交する方向に延びると共に前記上面よりも上方に延長された垂直壁と、前記垂直壁と対向する位置に配されたロック受け部と、を有し、前記垂直壁には、前記ロック受け部側に開口し、前記突出部及び前記バネ片が挿入される挿入部が形成され、前記突出部及び前記バネ片が前記挿入部に挿入されて、前記突出部を中心に前記電子ユニットが回動されることにより、前記突出部の上面が前記挿入部の内面に当接し、前記バネ片が前記挿入部の内面に弾性接触し、かつ、前記ロック部が前記ロック受け部に係止して、前記電気接続箱のケース上面に前記電子ユニットが取り付けられることを特徴とする電子ユニット取付構造である。
【００１０】
請求項２に記載された発明は、請求項１に記載された発明において、前記電気接続箱及び前記電子ユニットが、前記突出部を中心に前記電子ユニットが回動されることにより互いに嵌合するコネクタを有していることを特徴とするものである。
【００１１】
請求項３に記載された発明は、請求項１又は請求項２に記載された発明において、前記電気接続箱のケース上面に、前記電子ユニットのガタつきを抑制する複数の凸部が設けられていることを特徴とするものである。
【発明の効果】
【００１２】
請求項１に記載された発明によれば、前記電子ユニットのケースが、部品を収容したケース本体と、前記ケース本体の一側面から突出した直方体状の突出部と、前記突出部の対向する一対の側面のうち少なくとも一方から延設されたバネ片と、前記一側面と対向する他側面に設けられたロック部と、を有し、前記電気接続箱のケースが、前記上面と直交する方向に延びると共に前記上面よりも上方に延長された垂直壁と、前記垂直壁と対向する位置に配されたロック受け部と、を有し、前記垂直壁には、前記ロック受け部側に開口し、前記突出部及び前記バネ片が挿入される挿入部が形成され、前記突出部及び前記バネ片が前記挿入部に挿入されて、前記突出部を中心に前記電子ユニットが回動されることにより、前記突出部の上面が前記挿入部の内面に当接し、前記バネ片が前記挿入部の内面に弾性接触し、かつ、前記ロック部が前記ロック受け部に係止して、前記電気接続箱のケース上面に前記電子ユニットが取り付けられるので、簡素な構造でかつ小型化が可能な電子ユニット取付構造を提供することができる。
【００１３】
請求項２に記載された発明によれば、前記電気接続箱及び前記電子ユニットが、前記突出部を中心に前記電子ユニットが回動されることにより互いに嵌合するコネクタを有しているので、電子ユニットの取り付け作業と同時にコネクタ同士の嵌合作業を行うことができる。
【００１４】
請求項３に記載された発明によれば、前記電気接続箱のケース上面に、前記電子ユニットのガタつきを抑制する複数の凸部が設けられているので、電子ユニットの上下方向のガタつきを確実に抑制することができる。
【図面の簡単な説明】
【００１５】
【図１】本発明の一実施形態にかかる電子ユニット取付構造を示す平面図であり、電子ユニットが電気接続箱のケース上面に取り付けられた状態を示す平面図である。
【図２】図１に示された電気接続箱のみを示す斜視図である。
【図３】図１に示された電子ユニットのみを示す斜視図である。
【図４】図３中のＡ部の拡大図である。
【図５】図１に示された電子ユニット取付構造の断面図である。
【図６】図５中のＢ部の拡大図である。
【図７】図１に示された電子ユニットが電気接続箱のケース上面に取り付けられる途中の状態を示す断面図である。
【図８】図７に示された電子ユニットが電気接続箱のケース上面に取り付けられた状態を示す断面図である。
【図９】図７中のＣ部の拡大図である。
【図１０】図８中のＤ部の拡大図である。
【図１１】従来の電子ユニット取付構造を示す斜視図であり、電子ユニットが電気接続箱のケース上面に取り付けられる途中の状態を示す斜視図である。
【図１２】図１１に示された電子ユニット取付構造の軸部及び軸受け部を示す断面図である。
【発明を実施するための形態】
【００１６】
本発明の一実施形態にかかる「電子ユニット取付構造」を図１〜１０を参照して説明する。
【００１７】
図１に示す電子ユニット取付構造１は、電気接続箱２のケース４上面４０ａに電子ユニット３を取り付ける構造である。
【００１８】
上記電子ユニット３は、電気接続箱２のケース４上面４０ａに取り付けられて、該電気接続箱２に電気的に接続されるものである。この電子ユニット３は、図３〜８に示すように、基板１６と、基板１６に接続されたコネクタ１７，１８，１９と、これらを収容した合成樹脂製のケース５と、を有している。
【００１９】
上記ケース５は、平板状に形成されたケース本体５０と、ケース本体５０の一側面５０ｃから突出した直方体状の突出部５１と、突出部５１の対向する一対の側面５１ｂ，５１ｃからそれぞれ延設された一対のバネ片５３（図４〜６を参照。）と、ケース本体５０の一側面５０ｃと対向する他側面５０ｄに設けられたロック部５２と、を有している。
【００２０】
上記一対のバネ片５３は、突出部５１の側面５１ｂ，５１ｃからケース本体５０の一側面５０ｃ側に延設されていると共に一側面５０ｃ側に近付くにしたがって側面５１ｂ，５１ｃから離れる方向に延設されている。これら一対のバネ片５３は、図６に示すように、突出部５１と後述する挿入部６１との隙間を詰めて電子ユニット３の矢印Ｚ方向のガタつきを抑制する。
【００２１】
また、図３に示す符号５０ａは、ケース本体５０の上面を示しており、符号５０ｂは、ケース本体５０の下面を示しており、符号５０ｅ，５０ｆは、ケース本体５０の側面を示している。前記コネクタ１７は、側面５０ｅから突出しており、前記コネクタ１９は、側面５０ｆから突出しており、前記コネクタ１８は、下面５０ｂから突出している。また、コネクタ１８は、電気接続箱２のコネクタ１４と嵌合される。
【００２２】
上記電気接続箱２は、自動車に搭載されて、前記自動車に搭載された電子機器に対して電力供給及び信号伝達を行うものである。また、本発明では、ジャンクションブロック（ジャンクションボックスとも言う。）、ヒューズブロック（ヒューズボックスとも言う。）、リレーブロック（リレーボックスとも言う。）を総称して、以下電気接続箱と呼ぶ。
【００２３】
この電気接続箱２は、図２，５〜８に示すように、基板１０と、基板１０に搭載されたヒューズ１１及びリレー１２と、基板１０に接続されたコネクタ１３，１４，１５と、これらを収容した合成樹脂製のケース４と、を有している。
【００２４】
上記ケース４は、矩形箱状に形成されたケース本体４０と、ケース本体４０の一側面４０ｃ側に設けられ、ケース本体４０の上面４０ａと直交する方向（矢印Ｙ方向）に延びると共に上面４０ａよりも上方に延長された垂直壁６と、ケース本体４０の一側面４０ｃと対向する他側面４０ｄに設けられたロック受け部４２と、を有している。垂直壁６及びロック受け部４２は、互いに対向する位置に配されている。また、ロック受け部４２は、上記ロック部５２が係止する。
【００２５】
また、図２に示す符号４０ａは、ケース本体４０の上面を示しており、符号４０ｂは、ケース本体４０の下面を示しており、符号４０ｅ，４０ｆは、ケース本体４０の側面を示している。前記コネクタ１３は、側面４０ｅから突出しており、前記コネクタ１５は、側面４０ｆから突出しており、前記コネクタ１４は、上面４０ａから突出している。また、コネクタ１４は、電子ユニット３のコネクタ１８と嵌合される。また、上面４０ａには、電子ユニット３の矢印Ｙ方向のガタつきを抑制する複数の凸部４１が設けられている。
【００２６】
上記垂直壁６には、ロック受け部４２側に開口し、突出部５１及び一対のバネ片５３が挿入される挿入部６１が形成されている。挿入部６１の内部空間は、図７〜１０に示すように、ケース本体４０の上面４０ａの上方から下方に亘って延びており、ケース本体４０の内部空間と連通している。
【００２７】
上述した電子ユニット３を電気接続箱２のケース４上面４０ａに取り付ける際は、図７，９に示すように、電子ユニット３を傾けた状態で突出部５１及び一対のバネ片５３を挿入部６１内に挿入し、突出部５１を中心に電子ユニット３を回動させる。このことにより、図８，１０に示すように、突出部５１の上面５１ａが挿入部６１の内面６１ａに当接し、一対のバネ片５３が挿入部６１の内面６１ｂ，６１ｃに弾性接触し（図５，６を参照。）、かつ、ロック部５２がロック受け部４２に係止して、電気接続箱２のケース４上面４０ａに電子ユニット３が取り付けられる。また、コネクタ１４，１８は、前述したように電子ユニット３が回動されることにより互いに嵌合する。
【００２８】
このようにして電気接続箱２のケース４上面４０ａに取り付けられた電子ユニット３は、突出部５１の上面５１ａが挿入部６１の内面６１ａに当接すると共にケース本体５０の下面５０ｂがケース本体４０の上面４０ａの凸部４１に当接することにより、矢印Ｙ方向のガタつきが抑制される。また、電子ユニット３は、一対のバネ片５３が挿入部６１の内面６１ｂ，６１ｃに弾性接触することにより、矢印Ｚ方向のガタつきが抑制される。また、電子ユニット３は、ロック部５２がロック受け部４２に係止することにより、矢印Ｘ方向のガタつきが抑制される。
【００２９】
上述した電子ユニット取付構造１によれば、突出部５１の側面５１ｂ，５１ｃから一対のバネ片５３が延設され、ケース４上面４０ａに凸部４１が設けられているので、突出部５１及び挿入部６１の形状を複雑化させることなくガタ詰めを行うことができる。また、突出部５１及び挿入部６１が簡素な形状であるため、これらを製造する金型も簡素化することができる。また、突出部５１及び挿入部６１は、簡素な形状である上に１組しか設けられていないので、省スペース化を図ることができる。
【００３０】
また、上述した実施形態においては、ケース５が、突出部５１の対向する一対の側面５１ｂ，５１ｃからそれぞれ延設された一対のバネ片５３を有していたが、本発明においては、突出部５１の対向する一対の側面５１ｂ，５１ｃのうち少なくとも一方からバネ片５３が延設されていれば良い。
【００３１】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００３２】
１  電子ユニット取付構造
２  電気接続部
３  電子ユニット
４  ケース
５  ケース
６  垂直壁
４２  ロック受け部
５０  ケース本体
５１  突出部
５２  ロック部
５３  バネ片
６１  挿入部
【図１】
2014096960.tif 000003
【図２】
2014096960.tif 000004
【図３】
2014096960.tif 000005
【図４】
2014096960.tif 000006
【図５】
2014096960.tif 000007
【図６】
2014096960.tif 000008
【図７】
2014096960.tif 000009
【図８】
2014096960.tif 000010
【図９】
2014096960.tif 000011
【図１０】
2014096960.tif 000012
【図１１】
2014096960.tif 000013
【図１２】
2014096960.tif 000014